(57)【特許請求の範囲】
【請求項１】
移動局が、該移動局と無線基地局との間で設定されている無線アクセスベアラ及び該無線基地局とゲートウェイ装置との間で設定されているコアネットワークベアラを介してデータ信号を送受信する移動通信方法であって、
前記無線基地局が、輻輳を検出した場合、移動管理ノードに対して、該輻輳の理由及び該輻輳に係る無線アクセスベアラの識別情報を通知する工程Ａと、
前記移動管理ノードが、前記輻輳の理由及び該輻輳に係る無線アクセスベアラの識別情報を受信した場合に、該輻輳に係る無線アクセスベアラに対応するコアネットワークベアラの設定の変更を指示する工程Ｂと、
前記ゲートウェイ装置が、前記指示を受信した場合に、前記輻輳に係る無線アクセスベアラに対応するコアネットワークベアラの設定を変更する工程Ｃと
を有することを特徴とする移動通信方法。
【請求項２】
前記工程Ｃにおいて、前記ゲートウェイ装置は、前記指示を受信した場合に、前記輻輳に係る無線アクセスベアラに対応するコアネットワークベアラ内のフロー単位で設定を変更することを特徴とする請求項１に記載の移動通信方法。
【請求項３】
移動局が、該移動局と無線基地局との間で設定されている無線アクセスベアラ及び該無線基地局とゲートウェイ装置との間で設定されているコアネットワークベアラを介してデータ信号を送受信するように構成されている移動通信システムであって、
前記無線基地局は、輻輳を検出した場合、移動管理ノードに対して、該輻輳の理由及び該輻輳に係る無線アクセスベアラの識別情報を通知するように構成され、
前記移動管理ノードは、前記輻輳の理由及び該輻輳に係る無線アクセスベアラの識別情報を受信した場合に、該輻輳に係る無線アクセスベアラに対応するコアネットワークベアラの設定の変更を指示するように構成されており、
前記ゲートウェイ装置は、前記指示を受信した場合に、前記輻輳に係る無線アクセスベアラに対応するコアネットワークベアラの設定を変更するように構成されていることを特徴とする移動通信システム。
【請求項４】
前記ゲートウェイ装置は、前記指示を受信した場合に、前記輻輳に係る無線アクセスベアラに対応するコアネットワークベアラ内のフロー単位で設定を変更するように構成されていることを特徴とする請求項３に記載の移動通信システム。
【請求項５】
前記移動管理ノードが、複数の無線基地局から、前記輻輳に係る無線アクセスベアラの識別情報として、全ての無線アクセスベアラの識別情報が通知された場合、全ての無線アクセスベアラに対応するコアネットワークベアラの帯域を一律に小さくするように指示する工程を更に有することを特徴とする請求項１に記載の移動通信方法。
【請求項６】
前記移動管理ノードは、複数の無線基地局から、前記輻輳に係る無線アクセスベアラの識別情報として、全ての無線アクセスベアラの識別情報が通知された場合、全ての無線アクセスベアラに対応するコアネットワークベアラの帯域を一律に小さくするように指示するように構成されていることを特徴とする請求項３に記載の移動通信システム。
【発明の詳細な説明】
【技術分野】
【０００１】
本発明は、移動通信方法、移動通信システム及び無線基地局に関する。
【背景技術】
【０００２】
従来の３ＧＰＰで規定されている移動通信システムでは、ｅＮＢ（無線基地局）は、輻輳を検出した場合、ＵＥ（移動局）とｅＮＢとの間の間で設定されているＥＰＳ-ＲＡＢ（Ｅｖｏｌｖｅｄ  Ｐａｃｋｅｔ  Ｓｙｓｔｅｍ-Ｒａｄｉｏ  ａｃｃｅｓｓ  Ｂｅａｒｅｒ）の中のデータの流量が調整されるように構成されている。
【先行技術文献】
【非特許文献】
【０００３】
【非特許文献１】３ＧＰＰ  ＴＳ２３.４０１
【非特許文献２】３ＧＰＰ  ＴＳ２３.２０３
【非特許文献３】３ＧＰＰ  ＴＳ３６.３００
【発明の概要】
【発明が解決しようとする課題】
【０００４】
しかしながら、従来の３ＧＰＰで規定されている移動通信システムでは、上述したように、ｅＮＢは、輻輳を検出した場合、ＥＰＳ-ＲＡＢの中のデータの流量を調整することができるが、かかるＥＰＳ-ＲＡＢに対応するコアネットワークベアラ（Ｓ１ベアラやＳ５ベアラ）の帯域を調整することができないという問題点があった。
【０００５】
そこで、本発明は、上述の課題に鑑みてなされたものであり、ｅＮＢにおける輻輳が検出された場合、ＥＰＳ-ＲＡＢ中のデータの流量、及び、かかるＥＰＳ-ＲＡＢに対応するコアネットワークベアラの帯域についても調整することによって、リソースの有効活用を実現することができる移動通信方法、移動通信システム及び無線基地局を提供することを目的とする。
【課題を解決するための手段】
【０００６】
本発明の第１の特徴は、移動局が、該移動局と無線基地局との間で設定されている無線アクセスベアラ及び該無線基地局とゲートウェイ装置との間で設定されているコアネットワークベアラを介してデータ信号を送受信する移動通信方法であって、前記無線基地局が、輻輳を検出した場合、移動管理ノードに対して、該輻輳の理由及び該輻輳に係る無線アクセスベアラ（更に、無線アクセスベアラの中を流れる各データフロー等）の識別情報を通知する工程Ａを有することを要旨とする。
【０００７】
本発明の第２の特徴は、移動局が、該移動局と無線基地局との間で設定されている無線アクセスベアラ及び該無線基地局とゲートウェイ装置との間で設定されているコアネットワークベアラを介してデータ信号を送受信するように構成されている移動通信システムであって、前記無線基地局は、輻輳を検出した場合、移動管理ノードに対して、該輻輳の理由及び該輻輳に係る無線アクセスベアラ（更に、無線アクセスベアラの中を流れる各データフロー等）の識別情報を通知するように構成されていることを要旨とする。
【０００８】
本発明の第３の特徴は、移動局が、該移動局と無線基地局との間で設定されている無線アクセスベアラ及び該無線基地局とゲートウェイ装置との間で設定されているコアネットワークベアラを介してデータ信号を送受信するように構成されている移動通信システムにおける該無線基地局であって、輻輳を検出した場合、移動管理ノードに対して、該輻輳の理由及び該輻輳に係る無線アクセスベアラ（更に、無線アクセスベアラの中を流れる各データフロー等）の識別情報を通知するように構成されている送信部を具備することを要旨とする。
【発明の効果】
【０００９】
以上説明したように、本発明によれば、ｅＮＢにおける輻輳が検出された場合、ＥＰＳ-ＲＡＢ中のデータの流量、及び、かかるＥＰＳ-ＲＡＢに対応するコアネットワークベアラの帯域についても調整することによって、リソースの有効活用を実現することができる移動通信方法、移動通信システム及び無線基地局を提供することができる。
【図面の簡単な説明】
【００１０】
【図１】本発明の第１の実施形態に係る移動通信システムの全体構成図である。
【図２】本発明の第１の実施形態に係るｅＮＢの機能ブロック図である。
【図３】本発明の第１の実施形態に係る移動通信システムの動作を説明するための図である。
【図４】本発明の第１の実施形態に係る移動通信システムの動作を説明するための図である。
【図５】本発明の第１の実施形態に係る移動通信システムの動作を説明するための図である。
【図６】本発明の変更例１に係る移動通信システムの動作を説明するための図である。
【図７】本発明の変更例１に係る移動通信システムの動作を説明するための図である。
【図８】本発明の変更例２に係る移動通信システムの動作を説明するための図である。
【図９】本発明の変更例２に係る移動通信システムの動作を説明するための図である。
【発明を実施するための形態】
【００１１】
（本発明の第１の実施形態に係る移動通信システム）
図１乃至図４を参照して、本発明の第１の実施形態に係る移動通信システムについて説明する。
【００１２】
図１に示すように、本実施形態に係る移動通信システムは、ＰＣＲＦ（Ｐｏｌｉｃｙ  ａｎｄ  Ｃｈａｒｇｉｎｇ  Ｒｕｌｅｓ  Ｆｕｎｃｔｉｏｎ、ポリシー及び課金ルールサーバ装置）と、ＭＭＥ（Ｍｏｂｉｌｉｔｙ  Ｍａｎａｇｅｍｅｎｔ  Ｅｎｔｉｔｙ、移動管理ノード）と、Ｐ-ＧＷ（ＰＤＮ-Ｇａｔｅｗａｙ）と、Ｓ-ＧＷ（Ｓｅｒｖｉｎｇ-Ｇａｔｅｗａｙ）と、ｅＮＢ＃１〜ｅＮＢ＃３とを具備している。
【００１３】
ここで、Ｐ-ＧＷ及びＳ-ＧＷは、Ｓ５インターフェイスを介して接続することができ、Ｓ-ＧＷ及びｅＮＢ＃１〜ｅＮＢ＃３は、Ｓ１インターフェイスを介して接続することができ、ＭＭＥ及びｅＮＢ＃１〜ｅＮＢ＃３は、Ｓ１-ＭＭＥインターフェイスを介して接続することができ、ＭＭＥ及びＳ-ＧＷは、Ｓ１１インターフェイスを介して接続することができ、ＰＣＲＦ及びＰ-ＧＷは、Ｇｘインターフェイスを介して接続することができる。
【００１４】
なお、Ｓ５インターフェイスにおいてＰＭＩＰ（Ｐｒｏｘｙ  Ｍｏｂｉｌｅ  ＩＰ）が適用されている場合には、ＰＣＲＦ及びＳ-ＧＷは、Ｇｘｃインターフェイスを介して接続することができる。
【００１５】
すなわち、ｅＮＢ＃１〜ｅＮＢ＃３とＵＥとの間では、ＥＰＳ-ＲＡＢが設定可能であり、ｅＮＢ＃１〜ｅＮＢ＃３とＳ-ＧＷとの間では、かかるＥＰＳ-ＲＡＢに対応するＳ１ベアラが設定可能であり、Ｓ-ＧＷとＰ-ＧＷとの間では、かかるＥＰＳ-ＲＡＢ/Ｓ１ベアラに対応するＳ５ベアラが設定可能である。
【００１６】
また、Ｐ-ＧＷは、ＰＤＮ（Ｐａｃｋｅｔ  Ｄａｔａ  Ｎｅｔｗｏｒｋ、パケットデータネットワーク）＃１/＃２に接続することができる。
【００１７】
図２に示すように、ｅＮＢは、検出部１１と、調整部１２と、送信部１３とを具備している。
【００１８】
検出部１１は、ｅＮＢにおける輻輳を検出するように構成されている。
【００１９】
ここで、ｅＮＢには、図３に示すように、ＵＥ毎のバッファであるＵＥ用のバッファ及びｅＮＢ全体のバッファである全体バッファが設けられている。
【００２０】
ＵＥ用のバッファは、特定のＵＥによって送受信される信号を蓄積するためのバッファであり、全体バッファは、特定のＵＥ用のバッファが溢れた場合に用いられる一定量のバッファである。
【００２１】
なお、ＵＥ用のベアラには、ＱｏＳ（Ｑｕａｌｉｔｙ  ｏｆ  Ｓｅｒｖｉｃｅ）を示す「ＱＣＩ（ＱｏＳ  Ｃｌａｓｓ  ＩＤ）」が設定されており、かかるＱＣＩに基づいて「Ｐｒｉｏｒｉｔｙ（優先度）」や「Ｄｅｌａｙ（許容遅延）」や「Ｐａｃｋｅｔ  Ｌｏｓｓ  Ｒａｔｅ（許容パケット損失レート）」が決められており、かかるＵＥ用のベアラに対応するＵＥ用のバッファのサイズや優先度が決められている。
【００２２】
例えば、検出部１１は、特定のＵＥ用のバッファが溢れた場合や、特定のＵＥ用のバッファの使用率が所定値を超えた場合や、全体バッファが溢れた場合や、全体バッファの使用率が所定値を超えた場合等に、ｅＮＢにおける輻輳を検出するように構成されている。
【００２３】
調整部１２は、検出部１１によってｅＮＢにおける輻輳が検出された場合、Ｅ-ＲＡＢ中のデータの流量を調整するように構成されている。具体的には、調整部１２は、検出部１１によってｅＮＢにおける輻輳が検出された場合、Ｅ-ＲＡＢ中のデータの流量を小さくするように構成されている。
【００２４】
ここで、検出部１１が、特定のＵＥ用のバッファが溢れたことを検出した場合や、特定のＵＥ用のバッファの使用率が所定値を超えた場合等に、調整部１２は、かかる特定のＵＥのＥＰＳ-ＲＡＢ中のデータの流量を調整するように構成されている。
【００２５】
また、検出部１１が、全体バッファが溢れたことを検出した場合や、全体バッファの使用率が所定値を超えた場合等に、調整部１２は、全体バッファを利用しているＵＥのＥＰＳ-ＲＡＢ中のデータの流量を調整するように構成されている。
【００２６】
かかる場合、調整部１２は、全体バッファを利用しているＵＥのＥＰＳ-ＲＡＢのうち、各ＵＥ用のＥＰＳ-ＲＡＢのＱＣＩに基づいて、データの流量を調整するＥＰＳ-ＲＡＢを決定するように構成されていてもよい。
【００２７】
送信部１３は、ＵＥやＳ-ＧＷやＭＭＥ等に対して各種信号を送信するように構成されている。
【００２８】
例えば、送信部１３は、検出部１１によってｅＮＢにおける輻輳が検出された場合、ＭＭＥに対して、かかる輻輳の理由（「Ｃａｕｓｅ  Ｖａｌｕｅ」）及び輻輳に係るＥＰＳ-ＲＡＢの識別情報（「ｂｅａｒｅｒ-ＩＤ」）を通知するように構成されている。
【００２９】
ここで、送信部１３は、ＥＰＳ-ＲＡＢの中を流れる各データフローの識別情報「データフローＩＤ」）を通知するように構成されていてもよい。
【００３０】
ここで、検出部１１が、特定のＵＥ用のバッファが溢れたことを検出した場合や、特定のＵＥ用のバッファの使用率が所定値を超えた場合等に、送信部１３は、その旨を示す輻輳の理由を通知すると共に、かかる特定のＵＥのＥＰＳ-ＲＡＢの識別情報（すなわち、調整部１２によって調整されたＥＰＳ-ＲＡＢの識別情報）を通知するように構成されている。
【００３１】
なお、かかる場合、送信部１３は、更に、ＥＰＳ-ＲＡＢの中を流れる各データフローの識別情報「データフローＩＤ」）を通知するように構成されていてもよい。
【００３２】
また、検出部１１が、全体バッファが溢れたことを検出した場合や、全体バッファの使用率が所定値を超えた場合等に、送信部１３は、その旨を示す輻輳の理由を通知すると共に、全体バッファを利用しているＵＥのＥＰＳ-ＲＡＢの識別情報（すなわち、調整部１２によって調整されたＥＰＳ-ＲＡＢの識別情報）を通知するように構成されている。
【００３３】
なお、かかる場合、送信部１３は、更に、ＥＰＳ-ＲＡＢの中を流れる各データフローの識別情報「データフローＩＤ」）を通知するように構成されていてもよい。
【００３４】
以下、図４及び図５を参照して、本実施形態に係る移動通信システムの動作の一例について説明する。
【００３５】
第１に、図４を参照して、Ｓ５インターフェイスにおいてＰＭＩＰが適用されている場合の動作について説明する。
【００３６】
図４に示すように、ｅＮＢ＃１が、ステップＳ１０１において、バッファ溢れを検出することによって、ｅＮＢにおける輻輳を検出した場合、ステップＳ１０２において、ＭＭＥに対して、Ｓ１-ＭＭＥインターフェイスを介して、かかる輻輳の理由及び輻輳に係るＥＰＳ-ＲＡＢの識別情報を通知する。
【００３７】
ステップＳ１０３において、ＭＭＥは、かかる通知に基づいて、Ｓ-ＧＷに対して、かかる輻輳に係るＥＰＳ-ＲＡＢに対応するコアネットワークベアラの設定の変更を指示する「Ｂｅａｒｅｒ  Ｍｏｄｉｆｉｃａｔｉｏｎ」を送信し、Ｓ-ＧＷは、ＰＣＲＦに対して、かかる輻輳に係るＥＰＳ-ＲＡＢに対応するコアネットワークベアラの設定の変更を指示する「Ｂｅａｒｅｒ  Ｍｏｄｉｆｉｃａｔｉｏｎ」を送信する。
【００３８】
ここで、「Ｂｅａｒｅｒ  Ｍｏｄｉｆｉｃａｔｉｏｎ」の代わりに、３ＧＰＰのＴＳ２３.４０１に規定されている「Ｕｐｄａｔｅ  Ｂｅａｒｅｒ」が用いられてもよいし、他のメッセージが用いられてもよい。
【００３９】
ステップＳ１０４において、ＰＣＲＦは、Ｓ-ＧＷ及びＰ-ＧＷに対して、かかる輻輳に係るＥＰＳ-ＲＡＢに対応するコアネットワークベアラの設定の変更を指示する「Ｂｅａｒｅｒ  Ｍｏｄｉｆｉｃａｔｉｏｎ」を送信する。
【００４０】
ここで、Ｓ-ＧＷ及びＰ-ＧＷは、かかる「Ｂｅａｒｅｒ  Ｍｏｄｉｆｉｃａｔｉｏｎ」に応じて、かかる輻輳に係るＥＰＳ-ＲＡＢに対応するＳ１ベアラ及びＳ５ベアラの設定を変更する。
【００４１】
具体的には、Ｓ-ＧＷ及びＰ-ＧＷは、かかる「Ｂｅａｒｅｒ  Ｍｏｄｉｆｉｃａｔｉｏｎ」に応じて、かかる輻輳に係るＥＰＳ-ＲＡＢに対応するＳ１ベアラの帯域及びＳ５ベアラの帯域を小さくする。
【００４２】
なお、Ｐ-ＧＷが、ＴＤＦ（Ｔｒａｆｆｉｃ  Ｄｅｔｅｃｔｉｏｎ  Ｆｕｎｃｔｉｏｎ）を具備している場合、上述の「Ｂｅａｒｅｒ  Ｍｏｄｉｆｉｃａｔｉｏｎ」によって通知されたＥＰＳ-ＲＡＢの識別情報に基づいて、ＤＰＩ（Ｄｅｅｐ  Ｐａｃｋｅｔ  Ｉｎｓｐｅｃｔｉｏｎ）を実施し、Ｓ-ＧＷ及びＰ-ＧＷは、かかる輻輳に係るＥＰＳ-ＲＡＢに対応するＳ１ベアラ及びＳ５ベアラについてフロー単位で設定を変更する。
【００４３】
すなわち、かかる場合、Ｓ-ＧＷ及びＰ-ＧＷは、かかる輻輳に係るＥＰＳ-ＲＡＢに対応するＳ１ベアラ及びＳ５ベアラについてフロー単位で帯域を調整する（すなわち、小さくする）。
【００４４】
例えば、かかる場合、Ｓ-ＧＷ及びＰ-ＧＷは、同一のＱＣＩが設定されているＳ１ベアラ及びＳ５ベアラ内で、緊急通信（例えば、災害通信）用のフローについては帯域を減らさずに、ｎｏｎ-ＧＢＲ（Ｇｕａｒａｎｔｅｅｄ  Ｂｉｔ  Ｒａｔｅ）のデータ通信（例えば、ゲーム通信）用のフローについては帯域を小さくするといったフロー単位の制御を行うことができる。
【００４５】
第２に、図５を参照して、Ｓ５インターフェイスにおいてＧＴＰ（ＧＰＲＳ  Ｔｕｎｎｅｌｉｎｇ  Ｐｒｏｔｏｃｏｌ）が適用されている場合の動作について説明する。
【００４６】
図５に示すように、ｅＮＢ＃１が、ステップＳ２０１において、バッファ溢れを検出することによって、ｅＮＢにおける輻輳を検出した場合、ステップＳ２０２において、ＭＭＥに対して、Ｓ１-ＭＭＥインターフェイスを介して、かかる輻輳の理由及び輻輳に係るＥＰＳ-ＲＡＢの識別情報を通知する。
【００４７】
ステップＳ２０３において、ＭＭＥは、かかる通知に基づいて、Ｓ-ＧＷに対して、かかる輻輳に係るＥＰＳ-ＲＡＢに対応するコアネットワークベアラの設定の変更を指示する「Ｂｅａｒｅｒ  Ｍｏｄｉｆｉｃａｔｉｏｎ」を送信し、ステップＳ２０４において、Ｓ-ＧＷは、Ｐ-ＧＷに対して、かかる輻輳に係るＥＰＳ-ＲＡＢに対応するコアネットワークベアラの設定の変更を指示する「Ｂｅａｒｅｒ  Ｍｏｄｉｆｉｃａｔｉｏｎ」を送信し、ステップＳ２０５において、Ｐ-ＧＷは、ＰＣＲＦに対して、かかる輻輳に係るＥＰＳ-ＲＡＢに対応するコアネットワークベアラの設定の変更を指示する「Ｂｅａｒｅｒ  Ｍｏｄｉｆｉｃａｔｉｏｎ」を送信する。
【００４８】
ステップＳ２０６において、ＰＣＲＦは、Ｐ-ＧＷに対して、かかる輻輳に係るＥＰＳ-ＲＡＢに対応するコアネットワークベアラの設定の変更を指示する「Ｂｅａｒｅｒ  Ｍｏｄｉｆｉｃａｔｉｏｎ」を送信し、ステップＳ２０７において、Ｐ-ＧＷは、Ｓ-ＧＷに対して、かかる輻輳に係るＥＰＳ-ＲＡＢに対応するコアネットワークベアラの設定の変更を指示する「Ｂｅａｒｅｒ  Ｍｏｄｉｆｉｃａｔｉｏｎ」を送信する。
【００４９】
ここで、Ｓ-ＧＷ及びＰ-ＧＷは、かかる「Ｂｅａｒｅｒ  Ｍｏｄｉｆｉｃａｔｉｏｎ」に応じて、かかる輻輳に係るＥＰＳ-ＲＡＢに対応するＳ１ベアラ及びＳ５ベアラの設定を変更する。
【００５０】
具体的には、Ｓ-ＧＷ及びＰ-ＧＷは、かかる「Ｂｅａｒｅｒ  Ｍｏｄｉｆｉｃａｔｉｏｎ」に応じて、かかる輻輳に係るＥＰＳ-ＲＡＢに対応するＳ１ベアラの帯域及びＳ５ベアラの帯域を小さくする。
【００５１】
なお、Ｐ-ＧＷが、ＴＤＦを具備している場合、上述の「Ｂｅａｒｅｒ  Ｍｏｄｉｆｉｃａｔｉｏｎ」によって通知されたＥＰＳ-ＲＡＢの識別情報に基づいて、ＤＰＩを実施し、Ｓ-ＧＷ及びＰ-ＧＷは、かかる輻輳に係るＥＰＳ-ＲＡＢに対応するＳ１ベアラ及びＳ５ベアラについてフロー単位で設定を変更する。
【００５２】
すなわち、かかる場合、Ｓ-ＧＷ及びＰ-ＧＷは、かかる輻輳に係るＥＰＳ-ＲＡＢに対応するＳ１ベアラ及びＳ５ベアラについてフロー単位で帯域を調整する（すなわち、小さくする）。
【００５３】
例えば、かかる場合、Ｓ-ＧＷ及びＰ-ＧＷは、同一のＱＣＩが設定されているＳ１ベアラ及びＳ５ベアラ内で、緊急通信用のフローについては帯域を小さくせずに、ｎｏｎ-ＧＢＲのデータ通信用のフローについては帯域を小さくするといったフロー単位の制御を行うことができる。
【００５４】
本実施形態に係る移動通信システムによれば、ｅＮＢが、輻輳を検出した場合に、ＭＭＥに対して、かかる輻輳の理由及び輻輳に係るＥＰＳ-ＲＡＢの識別情報を通知することができるため、ＥＰＳ-ＲＡＢ中のデータの流量だけではなく、かかるＥＰＳ-ＲＡＢに対応するコアネットワークベアラの帯域についても調整することによって、リソースの有効活用を実現することができる。
【００５５】
（変更例１）
以下、図６及び図７を参照して、本発明の変更例１に係る移動通信システムについて、上述の第１の実施形態に係る移動通信システムとの相違点に着目して説明する。
【００５６】
本変更例１に係る移動通信システムでは、Ｐ-ＧＷではなく、ｅＮＢが、上述のＴＤＦを具備しており、ＤＰＩを実施することができるように構成されている。
【００５７】
第１に、図６を参照して、Ｓ５インターフェイスにおいてＰＭＩＰが適用されている場合の動作について説明する。
【００５８】
図６に示すように、ｅＮＢ＃１が、ステップＳ３０１において、バッファ溢れを検出することによって、ｅＮＢにおける輻輳を検出した場合、ＤＰＩを実施し、かかる輻輳に係るＥＰＳ-ＲＡＢ内で、データの流量を調整すべきフローを決定する。
【００５９】
ステップＳ３０２において、ＭＭＥに対して、Ｓ１-ＭＭＥインターフェイスを介して、かかる輻輳の理由及びデータの流量を調整すべきＥＰＳ-ＲＡＢ内のフローの識別情報を通知する。
【００６０】
ステップＳ３０３において、ＭＭＥは、かかる通知に基づいて、Ｓ-ＧＷに対して、かかる輻輳に係るＥＰＳ-ＲＡＢに対応するコアネットワークベアラ内のフローの設定の変更を指示する「Ｂｅａｒｅｒ  Ｍｏｄｉｆｉｃａｔｉｏｎ」を送信し、Ｓ-ＧＷは、ＰＣＲＦに対して、かかる輻輳に係るＥＰＳ-ＲＡＢに対応するコアネットワークベアラ内のフローの設定の変更を指示する「Ｂｅａｒｅｒ  Ｍｏｄｉｆｉｃａｔｉｏｎ」を送信する。
【００６１】
ステップＳ３０４において、ＰＣＲＦは、Ｓ-ＧＷ及びＰ-ＧＷに対して、かかる輻輳に係るＥＰＳ-ＲＡＢに対応するコアネットワークベアラ内のフローの設定の変更を指示する「Ｂｅａｒｅｒ  Ｍｏｄｉｆｉｃａｔｉｏｎ」を送信する。
【００６２】
ここで、Ｓ-ＧＷ及びＰ-ＧＷは、かかる「Ｂｅａｒｅｒ  Ｍｏｄｉｆｉｃａｔｉｏｎ」に応じて、かかる輻輳に係るＥＰＳ-ＲＡＢに対応するＳ１ベアラ内のフロー及びＳ５ベアラ内のフローの設定を変更する。
【００６３】
具体的には、Ｓ-ＧＷ及びＰ-ＧＷは、かかる「Ｂｅａｒｅｒ  Ｍｏｄｉｆｉｃａｔｉｏｎ」に応じて、かかる輻輳に係るＥＰＳ-ＲＡＢに対応するＳ１ベアラ内のフローの帯域及びＳ５ベアラ内のフローの帯域を小さくする。
【００６４】
例えば、かかる場合、Ｓ-ＧＷ及びＰ-ＧＷは、同一のＱＣＩが設定されているＳ１ベアラ及びＳ５ベアラ内で、緊急通信（例えば、災害通信）用のフローについては帯域を減らさずに、ｎｏｎ-ＧＢＲ（Ｇｕａｒａｎｔｅｅｄ  Ｂｉｔ  Ｒａｔｅ）のデータ通信（例えば、ゲーム通信）用のフローについては帯域を小さくするといったフロー単位の制御を行うことができる。
【００６５】
第２に、図７を参照して、Ｓ５インターフェイスにおいてＧＴＰが適用されている場合の動作について説明する。
【００６６】
図７に示すように、ｅＮＢ＃１が、ステップＳ４０１において、バッファ溢れを検出することによって、ｅＮＢにおける輻輳を検出した場合、ＤＰＩを実施し、かかる輻輳に係るＥＰＳ-ＲＡＢ内で、データの流量を調整すべきフローを決定する。
【００６７】
ステップＳ４０２において、ｅＮＢ＃１は、ＭＭＥに対して、Ｓ１-ＭＭＥインターフェイスを介して、かかる輻輳の理由及び輻輳に係るＥＰＳ-ＲＡＢ内のフローの識別情報を通知する。
【００６８】
ステップＳ４０３において、ＭＭＥは、かかる通知に基づいて、Ｓ-ＧＷに対して、かかる輻輳に係るＥＰＳ-ＲＡＢに対応するコアネットワークベアラ内のフローの設定の変更を指示する「Ｂｅａｒｅｒ  Ｍｏｄｉｆｉｃａｔｉｏｎ」を送信し、ステップＳ４０４において、Ｓ-ＧＷは、Ｐ-ＧＷに対して、かかる輻輳に係るＥＰＳ-ＲＡＢに対応するコアネットワークベアラ内のフローの設定の変更を指示する「Ｂｅａｒｅｒ  Ｍｏｄｉｆｉｃａｔｉｏｎ」を送信し、ステップＳ４０５において、Ｐ-ＧＷは、ＰＣＲＦに対して、かかる輻輳に係るＥＰＳ-ＲＡＢに対応するコアネットワークベアラ内のフローの設定の変更を指示する「Ｂｅａｒｅｒ  Ｍｏｄｉｆｉｃａｔｉｏｎ」を送信する。
【００６９】
ステップＳ４０６において、ＰＣＲＦは、Ｐ-ＧＷに対して、かかる輻輳に係るＥＰＳ-ＲＡＢに対応するコアネットワークベアラ内のフローの設定の変更を指示する「Ｂｅａｒｅｒ  Ｍｏｄｉｆｉｃａｔｉｏｎ」を送信し、ステップＳ４０７において、Ｐ-ＧＷは、Ｓ-ＧＷに対して、かかる輻輳に係るＥＰＳ-ＲＡＢに対応するコアネットワークベアラ内のフローの設定の変更を指示する「Ｂｅａｒｅｒ  Ｍｏｄｉｆｉｃａｔｉｏｎ」を送信する。
【００７０】
ここで、Ｓ-ＧＷ及びＰ-ＧＷは、かかる「Ｂｅａｒｅｒ  Ｍｏｄｉｆｉｃａｔｉｏｎ」に応じて、かかる輻輳に係るＥＰＳ-ＲＡＢに対応するＳ１ベアラ内のフロー及びＳ５ベアラ内のフローの設定を変更する。
【００７１】
具体的には、Ｓ-ＧＷ及びＰ-ＧＷは、かかる「Ｂｅａｒｅｒ  Ｍｏｄｉｆｉｃａｔｉｏｎ」に応じて、かかる輻輳に係るＥＰＳ-ＲＡＢに対応するＳ１ベアラ内のフローの帯域及びＳ５ベアラ内のフローの帯域を小さくする。
【００７２】
例えば、かかる場合、Ｓ-ＧＷ及びＰ-ＧＷは、同一のＱＣＩが設定されているＳ１ベアラ及びＳ５ベアラ内で、緊急通信用のフローについては帯域を小さくせずに、ｎｏｎ-ＧＢＲのデータ通信用のフローについては帯域を小さくするといったフロー単位の制御を行うことができる。
【００７３】
本変更例１に係る移動通信システムによれば、ｅＮＢが、輻輳を検出した場合に、ＭＭＥに対して、かかる輻輳の理由及び輻輳に係るＥＰＳ-ＲＡＢ内のフローの識別情報を通知することができるため、ＥＰＳ-ＲＡＢ内のフロー中のデータの流量だけではなく、かかるＥＰＳ-ＲＡＢに対応するコアネットワークベアラ内のフローの帯域についても調整することによって、リソースの有効活用を実現することができる。
【００７４】
（変更例２）
以下、図８及び図９を参照して、本発明の変更例２に係る移動通信システムについて、上述の第１の実施形態に係る移動通信システムとの相違点に着目して説明する。
【００７５】
第１に、図８を参照して、災害発生等のような特別なケース（ネットワークの運用事業者が事前に決め設定しておく等）において、Ｓ５インターフェイスにおいてＰＭＩＰが適用されている場合の動作について説明する。
【００７６】
図８に示すように、複数のｅＮＢ＃１〜ｅＮＢ＃３は、ステップＳ５０１において、バッファ溢れを検出することによって、輻輳を検出し、ステップＳ５０２において、ＭＭＥに対して、Ｓ１-ＭＭＥインターフェイスを介して、かかる輻輳の理由及び輻輳に係るＥＰＳ-ＲＡＢの識別情報（本事変更例２では、全てのＥＰＳ-ＲＡＢの識別情報）を通知する。
【００７７】
ステップＳ５０３において、ＭＭＥは、かかる通知に基づいて、Ｓ-ＧＷに対して、かかる輻輳に係るＥＰＳ-ＲＡＢに対応するコアネットワークベアラの設定の変更を指示する「Ｂｅａｒｅｒ  Ｍｏｄｉｆｉｃａｔｉｏｎ」を送信し、Ｓ-ＧＷは、ＰＣＲＦに対して、かかる輻輳に係るＥＰＳ-ＲＡＢに対応するコアネットワークベアラの設定の変更を指示する「Ｂｅａｒｅｒ  Ｍｏｄｉｆｉｃａｔｉｏｎ」を送信する。
【００７８】
ここで、ＭＭＥは、複数のｅＮＢ＃１〜ｅＮＢ＃３から、輻輳に係るＥＰＳ-ＲＡＢの識別情報として、全てのＥＰＳ-ＲＡＢの識別情報が通知されたため、災害発生等の特別なケースであることを認識し、全てのＥＰＳ-ＲＡＢの帯域（リソース）を一律に小さくすると共に、Ｓ-ＧＷに対して、全てのＥＰＳ-ＲＡＢに対応するコアネットワークベアラの帯域（リソース）を一律に小さくするように指示する「Ｂｅａｒｅｒ  Ｍｏｄｉｆｉｃａｔｉｏｎ」を送信する。
【００７９】
同様に、Ｓ-ＧＷは、ＰＣＲＦに対して、全てのＥＰＳ-ＲＡＢに対応するコアネットワークベアラの帯域（リソース）を一律に小さくするように指示する「Ｂｅａｒｅｒ  Ｍｏｄｉｆｉｃａｔｉｏｎ」を送信する。
【００８０】
ステップＳ５０４において、ＰＣＲＦは、Ｓ-ＧＷ及びＰ-ＧＷに対して、全てのＥＰＳ-ＲＡＢに対応するコアネットワークベアラの帯域を一律に小さくするように指示する「Ｂｅａｒｅｒ  Ｍｏｄｉｆｉｃａｔｉｏｎ」を送信する。
【００８１】
ここで、Ｓ-ＧＷ及びＰ-ＧＷは、かかる「Ｂｅａｒｅｒ  Ｍｏｄｉｆｉｃａｔｉｏｎ」に応じて、全てのＥＰＳ-ＲＡＢに対応するＳ１ベアラ及びＳ５ベアラの帯域を一律に小さくする。
【００８２】
第２に、図９を参照して、災害発生等のような特別なケースにおいて、Ｓ５インターフェイスにおいてＧＴＰが適用されている場合の動作について説明する。
【００８３】
図９に示すように、複数のｅＮＢ＃１〜ｅＮＢ＃３は、ステップＳ６０１において、バッファ溢れを検出することによって、輻輳を検出し、ステップＳ６０２において、ＭＭＥに対して、Ｓ１-ＭＭＥインターフェイスを介して、かかる輻輳の理由及び輻輳に係るＥＰＳ-ＲＡＢの識別情報（本事変更例２では、全てのＥＰＳ-ＲＡＢの識別情報）を通知する。
【００８４】
ステップＳ６０３において、ＭＭＥは、かかる通知に基づいて、Ｓ-ＧＷに対して、かかる輻輳に係るＥＰＳ-ＲＡＢに対応するコアネットワークベアラの設定の変更を指示する「Ｂｅａｒｅｒ  Ｍｏｄｉｆｉｃａｔｉｏｎ」を送信し、ステップＳ６０４において、Ｓ-ＧＷは、Ｐ-ＧＷに対して、かかる輻輳に係るＥＰＳ-ＲＡＢに対応するコアネットワークベアラ内のフローの設定の変更を指示する「Ｂｅａｒｅｒ  Ｍｏｄｉｆｉｃａｔｉｏｎ」を送信し、ステップＳ６０５において、Ｐ-ＧＷは、ＰＣＲＦに対して、かかる輻輳に係るＥＰＳ-ＲＡＢに対応するコアネットワークベアラ内のフローの設定の変更を指示する「Ｂｅａｒｅｒ  Ｍｏｄｉｆｉｃａｔｉｏｎ」を送信する。
【００８５】
ここで、ＭＭＥは、複数のｅＮＢ＃１〜ｅＮＢ＃３から、輻輳に係るＥＰＳ-ＲＡＢの識別情報として、全てのＥＰＳ-ＲＡＢの識別情報が通知されたため、災害発生等の特別なケースであることを認識し（ネットワークの運用事業者が事前に決め設定しておく等）、全てのＥＰＳ-ＲＡＢの帯域（リソース）を一律に小さくすると共に、Ｓ-ＧＷに対して、全てのＥＰＳ-ＲＡＢに対応するコアネットワークベアラの帯域（リソース）を一律に小さくするように指示する「Ｂｅａｒｅｒ  Ｍｏｄｉｆｉｃａｔｉｏｎ」を送信する。
【００８６】
同様に、Ｓ-ＧＷは、Ｐ-ＧＷに対して、全てのＥＰＳ-ＲＡＢに対応するコアネットワークベアラの帯域（リソース）を一律に小さくするように指示する「Ｂｅａｒｅｒ  Ｍｏｄｉｆｉｃａｔｉｏｎ」を送信する。
【００８７】
さらに、Ｐ-ＧＷは、ＰＣＲＦに対して、全てのＥＰＳ-ＲＡＢに対応するコアネットワークベアラの帯域（リソース）を一律に小さくするように指示する「Ｂｅａｒｅｒ  Ｍｏｄｉｆｉｃａｔｉｏｎ」を送信する。
【００８８】
ステップＳ６０６において、ＰＣＲＦは、Ｐ-ＧＷに対して、全てのＥＰＳ-ＲＡＢに対応するコアネットワークベアラの大域を一律に小さくするように指示する「Ｂｅａｒｅｒ  Ｍｏｄｉｆｉｃａｔｉｏｎ」を送信し、ステップＳ６０７において、Ｐ-ＧＷは、Ｓ-ＧＷに対して、全てのＥＰＳ-ＲＡＢに対応するコアネットワークベアラの大域を一律に小さくするように指示する「Ｂｅａｒｅｒ  Ｍｏｄｉｆｉｃａｔｉｏｎ」を送信する。
【００８９】
ここで、Ｓ-ＧＷ及びＰ-ＧＷは、かかる「Ｂｅａｒｅｒ  Ｍｏｄｉｆｉｃａｔｉｏｎ」に応じて、全てのＥＰＳ-ＲＡＢに対応するＳ１ベアラ及びＳ５ベアラの帯域を一律に小さくする。
【００９０】
なお、Ｐ-ＧＷに対して、所定閾値以上の着信があった場合には、同様に、災害発生等のような特別なケースとして、ＰＣＲＦは、全ての通信におけるリソース、すなわち、全てのＥＰＳ-ＲＡＢに対応するＳ１ベアラ及びＳ５ベアラの帯域（及び、全てのＥＰＳ-ＲＡＢの帯域）を一律に小さくする。
【００９１】
本変更例２に係る移動通信システムによれば、災害発生等の特別なケースにおいてネットワークの運用事業者が事前に設定した基準に従い、全ての通信において一律にリソース割当を減らすことによって、限られたリソースを均等に割り当てることにより出来るだけ多くの通信を可能にすることができる。
【００９２】
以上に述べた本実施形態の特徴は、以下のように表現されていてもよい。
【００９３】
本実施形態の第１の特徴は、ＵＥ（移動局）が、ＵＥとｅＮＢ（無線基地局）との間で設定されているＥＰＳ-ＲＡＢ（無線アクセスベアラ）及びｅＮＢとＳ-ＧＷ（ゲートウェイ装置）との間で設定されているＳ１ベアラ（コアネットワークベアラ）を介してデータ信号を送受信する移動通信方法であって、ｅＮＢが、輻輳を検出した場合、ＭＭＥ（移動管理ノード）に対して、かかる輻輳の理由及び輻輳に係るＥＰＳ-ＲＡＢの識別情報を通知する工程Ａを有することを要旨とする。
【００９４】
本実施形態の第１の特徴において、ＭＭＥが、上述の輻輳の理由及び輻輳に係るＥＰＳ-ＲＡＢの識別情報を受信した場合に、かかる輻輳に係るＥＰＳ-ＲＡＢに対応するコアネットワークベアラの設定の変更を指示する工程Ｂと、Ｓ-ＧＷが、かかる指示を受信した場合に、かかる輻輳に係るＥＰＳ-ＲＡＢに対応するコアネットワークベアラ（Ｓ１ベアラ）の設定を変更する工程Ｃとを更に有してもよい。
【００９５】
本実施形態の第１の特徴において、工程Ｃにおいて、Ｓ-ＧＷは、上述の指示を受信した場合に、かかる輻輳に係るＥＰＳ-ＲＡＢに対応するＳ１ベアラ内のフロー単位で設定を変更してもよい。
【００９６】
本実施形態の第１の特徴において、ＭＭＥが、複数のｅＮＢ＃１〜ｅＮＢ＃３から、上述の輻輳に係るＥＰＳ-ＲＡＢの識別情報として、全てのＥＰＳ-ＲＡＢの識別情報が通知された場合、全てのＥＰＳ-ＲＡＢに対応するコアネットワークベアラの帯域を一律に小さくするように指示する工程を更に有してもよい。
【００９７】
本実施形態の第２の特徴は、ＵＥが、ＵＥとｅＮＢとの間で設定されているＥＰＳ-ＲＡＢ及びｅＮＢとＳ-ＧＷとの間で設定されているＳ１ベアラを介してデータ信号を送受信するように構成されている移動通信システムであって、ｅＮＢは、輻輳を検出した場合、ＭＭＥに対して、かかる輻輳の理由及び輻輳に係るＥＰＳ-ＲＡＢの識別情報を通知するように構成されていることを要旨とする。
【００９８】
本実施形態の第２の特徴において、ＭＭＥは、上述の輻輳の理由及び輻輳に係るＥＰＳ-ＲＡＢの識別情報を受信した場合に、かかる輻輳に係るＥＰＳ-ＲＡＢに対応するコアネットワークベアラの設定の変更を指示するように構成されており、Ｓ-ＧＷは、かかる指示を受信した場合に、かかる輻輳に係るＥＰＳ-ＲＡＢに対応するコアネットワークベアラ（Ｓ１ベアラ）の設定を変更するように構成されていてもよい。
【００９９】
本実施形態の第２の特徴において、Ｓ-ＧＷは、上述の指示を受信した場合に、上述の輻輳に係るＥＰＳ-ＲＡＢに対応するＳ１ベアラ内のフロー単位で設定を変更するように構成されていてもよい。
【０１００】
本実施形態の第２の特徴において、ＭＭＥは、複数のｅＮＢ＃１〜ｅＮＢ＃３から、上述の輻輳に係るＥＰＳ-ＲＡＢの識別情報として、全てのＥＰＳ-ＲＡＢが通知された場合、全てのＥＰＳ-ＲＡＢに対応するコアネットワークベアラの帯域を一律に小さくするように指示するように構成されていてもよい。
【０１０１】
本実施形態の第３の特徴は、ＵＥが、ＵＥとｅＮＢとの間で設定されているＥＰＳ-ＲＡＢ及びｅＮＢとＳ-ＧＷとの間で設定されているＳ１ベアラを介してデータ信号を送受信するように構成されている移動通信システムにおけるｅＮＢであって、輻輳を検出した場合、ＭＭＥに対して、かかる輻輳の理由及び輻輳に係るＥＰＳ-ＲＡＢの識別情報を通知するように構成されている送信部１３を具備することを要旨とする。
【０１０２】
本実施形態の第３の特徴において、送信部１１は、上述の輻輳に係るＥＰＳ-ＲＡＢ内のフローの識別情報を通知するように構成されていてもよい。
【０１０３】
本実施形態の第３の特徴において、送信部１１は、特定の移動局用のバッファが輻輳したことを示す輻輳の理由を通知するように構成されていてもよい。
【０１０４】
本実施形態の第３の特徴において、送信部１１は、全体バッファが輻輳したことを示す輻輳の理由を通知するように構成されていてもよい。
【０１０５】
なお、上述のＵＥやｅＮＢやＭＭＥやＳ-ＧＷやＰ-ＧＷやＰＣＲＦ等の動作は、ハードウェアによって実施されてもよいし、プロセッサによって実行されるソフトウェアモジュールによって実施されてもよいし、両者の組み合わせによって実施されてもよい。
【０１０６】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【０１０７】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、ＵＥやｅＮＢやＭＭＥやＳ-ＧＷやＰ-ＧＷやＰＣＲＦ等内に設けられていてもよい。また、かかる記憶媒体及びプロセッサは、ディスクリートコンポーネントとしてＵＥやｅＮＢやＭＭＥやＳ-ＧＷやＰ-ＧＷやＰＣＲＦ等内に設けられていてもよい。
【０１０８】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【０１０９】
ＵＥ…移動局
ｅＮＢ…無線基地局
ＭＭＥ…移動管理ノード
Ｓ-ＧＷ…サービングゲートウェイ装置
Ｐ-ＧＷ…パケットデータネットワークゲートウェイ装置
ＰＣＲＦ…ポリシー及び課金ルールサーバ装置
１１…検出部
１２…調整部
１３…送信部
【図１】
0005883272.tif 000002
【図２】
0005883272.tif 000003
【図３】
0005883272.tif 000004
【図４】
0005883272.tif 000005
【図５】
0005883272.tif 000006
【図６】
0005883272.tif 000007
【図７】
0005883272.tif 000008
【図８】
0005883272.tif 000009
【図９】
0005883272.tif 000010